(57)【要約】【課題】  ラベルにラミネートフィルム貼付ける作業時に、位置決めが容易であって、かつ当該作業を適宜の作業場所で行うことが出来るラミネートラベル用紙を提供する。【解決手段】  ラベル用紙２と粘着フィルムからなるラミネートラベル用紙であって、ラベル用紙２は、第１切断線２４により一定形状のラベル領域３に切断され、さらに枠外形切断線２６により、ラベル領域の外周線を枠状に取り囲む枠領域２５に切断されている。粘着フィルムはラミネート領域５を含むものである。ラミネート領域５は、ラベル領域２の全面と枠領域２５の全面からなる平面と一致する平面形状である。【選択図】図３
2006078945.tif 000002
【特許請求の範囲】
【請求項１】
ラベル用紙と粘着フィルムからなるラミネートラベル用紙であって、
前記ラベル用紙は、第１剥離紙の上に第１粘着剤層を形成し、第１粘着剤層の上にラベル紙を貼着して構成され、
前記ラベル紙は第１切断線により一定形状のラベル領域に切断され、さらに枠外形切断線により、前記ラベル領域の外周線のすくなくとも一部の外周線を枠状に取り囲む枠領域に切断されたものであり、
前記粘着フィルムは、フィルムの一方表面に第２粘着剤層を形成したものであり、前記粘着フィルムは区画されたラミネート領域を含むものであり、
前記ラミネート領域は、前記ラベル領域の全面と枠領域の一部からなる平面と一致する平面形状であるか、あるいは前記ラベル領域の全面と枠領域の全面からなる平面と一致する平面形状であるラミネートラベル用紙。
【請求項２】
前記ラベル紙は、前記枠外形切断線により、前記ラベル領域の全外周線を枠状に取り囲む枠領域に切断されたものであり、
前記ラミネート領域は、前記ラベル領域の全面と枠領域の一部からなる平面と一致する平面形状であるか、あるいは前記ラベル領域の全面と枠領域の全面からなる平面と一致する平面形状である請求項１に記載のラミネートラベル用紙。
【請求項３】
前記粘着フィルムは、第２粘着剤層に第２剥離紙を貼着して構成されたラミネート用紙に含まれており、前記ラミネート用紙の前記フィルムは、第２切断線により複数の前記ラミネート領域に切断されている請求項１乃至２いずれか記載のラミネートラベル用紙。
【請求項４】
第１剥離紙の上に第１粘着剤層を形成し、第１粘着剤層の上にラベル紙を貼着して構成され、前記ラベル紙は第１切断線により一定形状のラベル領域に切断され、さらに枠外形切断線により、前記ラベル領域の外周線のすくなくとも一部の外周線を枠状に取り囲む枠領域に切断されたラベル用紙。
【請求項５】
ラベル用紙と粘着フィルムを用いるラベルのラミネート方法であって、
前記ラベル用紙は、第１剥離紙の上に第１粘着剤層を形成し、第１粘着剤層の上にラベル紙を貼着して構成され、
前記ラベル紙は第１切断線により一定形状のラベル領域に切断され、さらに枠外形切断線により、前記ラベル領域の外周線のすくなくとも一部の外周線を枠状に取り囲む枠領域に切断されたものであり、
前記粘着フィルムは、フィルムの一方表面に第２粘着剤層を形成したものであり、前記粘着フィルムは区画されたラミネート領域を含むものであり、
前記ラミネート領域は、前記ラベル領域の全面と枠領域の一部からなる平面と一致する平面形状であるか、あるいは前記ラベル領域の全面と枠領域の全面からなる平面と一致する平面形状であって、
以下の工程よりなるラベルのラミネート方法。
（１）前記ラベル用紙から前記枠領域にある前記ラベル紙を取り除く工程
（２）次に、前記ラベル領域の全面と前記枠領域の一部あるいは全部を覆うように、前記ラミネート領域の第２粘着面を前記ラベル領域に貼着する工程
（３）次に、前記ラベル領域からはみ出して、第１剥離紙に貼着したラミネート領域の一部分と前記ラベル領域をこれらの貼着状態を保持しつつ、第１剥離紙から引き剥がす工程
【発明の詳細な説明】
【技術分野】
【０００１】
本発明は、ラベルに情報を記入し、その後ラベルの情報記入面にラミネート層を形成できる一対のラミネートラベル用紙に関するものである。また、このような用途に用いられるラベル用紙に関するものである。さらに、本発明は、ラベルのラミネート方法に関するものである。
【背景技術】
【０００２】
ユーザーがラベル紙やカード紙（以下ラベル等という）の表面に文字などを記入し、その後にラベル等の表面に粘着フィルムを貼着してラミネート層を形成できるように、ラベル等用紙とラミネート用紙を一対にしたラミネートラベル等用紙が知られている。
【０００３】
例えば、従来のラミネートラベル等用紙は、一定形状のラベル等用紙と、剥離紙上に粘着剤層を介してフィルムを貼着した一定形状のラミネート用紙からなる。ラベル等用紙とラミネート用紙は過不足なく重なり合う同一形状である。ラベル等用紙に文字等を記入した後に、ラミネート用紙から粘着剤付きフィルムを剥がして、これをラベル等の印字面に圧着し、ラミネートされたラベル等を得るものである。
【０００４】
また、フィルム、剥離紙、ラベル紙をこの順に積層したラベル紙もある。これは、使用にあたりラベル紙に文字等を記入した後に、まず、ラベルを対象物に貼付ける。次に、ラベル用紙に残った粘着フィルムを取り外し、ラベルの上に貼付けラミネート層を形成するものである。（例えば、特許文献１参照。）。
【特許文献１】実開平６−２３０６６号公報
【発明の開示】
【発明が解決しようとする課題】
【０００５】
通常、ラミネート用のフィルムとその粘着剤は透明であり、粘着フィルムの目視は簡単ではない。従来の一対のラミネートラベル用紙を使用してラミネート作業をするとき、ラベルの表面に合わせて、粘着フィルムを正確に位置決めするのは難しく、ラベルと粘着フィルムの位置ずれが生じることがある。
【０００６】
また、第２の従来例ではラベルを対象物に貼着した後、さらに粘着フィルムを貼り付ける必要がある。ラベルの貼着場所は、図書の背表紙部分などの曲面や、キャビネットの扉などの垂直面、さらに斜面もある。このような面にラベルを貼付けた後に、さらにその上から粘着フィルムを貼り付けるのは困難が伴い、ラベル紙と粘着フィルムの位置ずれも生じる。また、粘着フィルムにしわができるなどラミネートの失敗が起こり得る。
【０００７】
そこで、本発明はラベルにラミネートフィルム貼付ける作業時に、位置決めが容易なラミネートラベル用紙、あるいはラベル用紙を得ることを課題とする。また、本発明はラミネートフィルム貼付けを適宜の作業場所で行うことが出来る、ラミネートラベル用紙、あるいはラベル用紙を得ることを課題とする。
【０００８】
また、本発明はラベルにラミネートフィルム貼付ける作業時に、位置決めが容易であって、かつ当該作業を適宜の作業場所で行うことが出来るラベルのラミネート方法を提供することを課題とする。
本発明のその他の課題は、以下の本発明の説明から明らかになる。
【課題を解決するための手段】
【０００９】
本発明の一の態様にかかるラミネートラベル用紙は、ラベル用紙と粘着フィルムからなるラミネートラベル用紙であって、前記ラベル用紙は、第１剥離紙の上に第１粘着剤層を形成し、第１粘着剤層の上にラベル紙を貼着して構成され、前記ラベル紙は第１切断線により一定形状のラベル領域に切断され、さらに枠外形切断線により、前記ラベル領域の外周線のすくなくとも一部の外周線を枠状に取り囲む枠領域に切断されたものであり、前記粘着フィルムは、フィルムの一方表面に第２粘着剤層を形成したものであり、前記粘着フィルムは区画されたラミネート領域を含むものであり、前記ラミネート領域は、前記ラベル領域の全面と枠領域の一部からなる平面と一致する平面形状であるか、あるいは前記ラベル領域の全面と枠領域の全面からなる平面と一致する平面形状であるラミネートラベル用紙である。
【００１０】
本発明にかかるラミネートラベル用紙の使用法は以下のとおりである。まず、ラベル用紙のラベル領域に情報を記入する。ついで、ラベル領域を枠状に取り囲む枠領域からラベル紙を取り除く。ラベル領域と枠領域に残る第１剥離紙を目安にしてラミネートファイルムを、ラベル領域に貼着する。このとき、ラベル領域の外にはみ出すラミネートフィルム部分は第１剥離紙に貼り付けられる。次に、ラミネートフィルムとラベル領域をこれらの貼着状態を保持しつつ、第１剥離紙から取り除き、ラミネートされたラベルを得る。
【００１１】
本発明により、ラミネートフィルムの位置決めが容易であり、任意の作業場所でラミネート作業を行うことができる一対のラミネートラベル用紙を得ることができる。さらに、ラミネート作業中にラベル領域をはみ出すラミネート領域の一定部分は、第１剥離紙に貼り付けられるので、再剥離作業は容易に行われる。
なお、ラベル領域には必ずしも情報を記入しなくてもよい。例えば、目印だけの目的でラベルを貼着する場合には、無記入ラベルにラミネートしてラベルを貼り付けることもある。
【００１２】
本発明の一の態様にかかる、ラミネートラベル用紙の好ましい実施態様にあっては、前記ラベル紙は、前記枠外形切断線により、前記ラベル領域の全外周線を枠状に取り囲む枠領域に切断されたものであり、前記ラミネート領域は、前記ラベル領域の全面と枠領域の一部からなる平面と一致する平面形状であるか、あるいは前記ラベル領域の全面と枠領域の全面からなる平面と一致する平面形状であってもよい。
本好ましい実施態様によれば、ラベル領域の全外周においてラベル領域の外周線を越えてラミネートフィルムが外側に延伸されるので、ラベル領域がラミネートにより、より確実に保護される効果がある。
【００１３】
本発明の一の態様にかかる、ラミネートラベル用紙の他の好ましい実施態様にあっては、前記粘着フィルムは、第２粘着剤層に第２剥離紙を貼着して構成されたラミネート用紙に含まれており、前記ラミネート用紙の前記フィルムは、第２切断線により複数の前記ラミネート領域に切断されていてもよい。
本好ましい実施態様にあっては、対になる、ラベル用紙と粘着フィルムの同封梱包が容易になるので、運送、販売、保管などが容易になる効果がある。
【００１４】
本発明の一の態様にかかるラベル用紙は、第１剥離紙の上に第１粘着剤層を形成し、第１粘着剤層の上にラベル紙を貼着して構成され、前記ラベル紙は第１切断線により一定形状のラベル領域に切断され、さらに枠外形切断線により、前記ラベル領域の外周線のすくなくとも一部の外周線を枠状に取り囲む枠領域に切断されたラベル用紙である。
このラベル用紙は、別途ラミネートフィルムを準備すれば、ラミネートフィルムの位置決めが容易であり、任意の作業場所でラミネート作業を行うことが可能なラミネートラベル用紙となる。
【００１５】
本発明の一の態様にかかるラベルのラミネート方法は、ラベル用紙と粘着フィルムを用いるラベルのラミネート方法であって、前記ラベル用紙は、第１剥離紙の上に第１粘着剤層を形成し、第１粘着剤層の上にラベル紙を貼着して構成され、前記ラベル紙は第１切断線により一定形状のラベル領域に切断され、さらに枠外形切断線により、前記ラベル領域の外周線のすくなくとも一部の外周線を枠状に取り囲む枠領域に切断されたものであり、前記粘着フィルムは、フィルムの一方表面に第２粘着剤層を形成したものであり、前記粘着フィルムは区画されたラミネート領域を含むものであり、前記ラミネート領域は、前記ラベル領域の全面と枠領域の一部からなる平面と一致する平面形状であるか、あるいは前記ラベル領域の全面と枠領域の全面からなる平面と一致する平面形状であって、以下の工程よりなるラベルのラミネート方法である。
（１）前記ラベル用紙から前記枠領域にある前記ラベル紙を取り除く工程
（２）次に、前記ラベル領域の全面と前記枠領域の一部あるいは全部を覆うように、前記ラミネート領域の第２粘着面を前記ラベル領域に貼着する工程
（３）次に、前記ラベル領域からはみ出して、第１剥離紙に貼着したラミネート領域の一部分と前記ラベル領域をこれらの貼着状態を保持しつつ、第１剥離紙から引き剥がす工程。
【００１６】
以上説明した、本発明、本発明の好ましい実施態様、好ましい実施態様に含まれる構成要素は、可能な限り、組み合わせて実施することが出来る。
【発明の効果】
【００１７】
本発明によれば、ラベルにラミネートフィルム貼付ける作業時に、位置決めが容易な一対のラミネートラベル用紙、あるいはラベル用紙を得ることが出来る。また、本発明によれば、ラミネートフィルム貼付けを適宜の作業場所で行うことが出来る、一対のラミネートラベル用紙、あるいはラベル用紙を得ることが出来る。
【００１８】
また、本発明によれば、ラベルにラミネートフィルム貼付ける作業時に、位置決めが容易であって、かつ当該作業を適宜の作業場所で行うことが出来るラベルのラミネート方法が提供される。
【発明を実施するための最良の形態】
【００１９】
ラベル用紙はラベル領域に区画・切断されている。当該切断線はラベル紙に設けられた抜き加工線であってもよく、また当該切断線の一部は、ラベル用紙の輪郭線と一致するものであってもよい。
ラベル用紙に設ける枠外形切断線はラベル用紙の輪郭線と一致するものであってもよく、ラベル用紙に設けられた抜き加工線であってもよく、また、一部が当該輪郭線と一致し、残余が抜き加工線であってもよい。
【００２０】
枠領域は、ラベル領域の外周線の全周囲にわたり設けることが好ましい。ラベル領域のラミネート効果がより完全になるからである。しかし、ラベル領域の外周線の一部分にだけ枠領域を設けることも出来る。この場合にも、一部枠領域を目印として、ラベル領域にラミネート領域を貼り付けることができる。
【００２１】
枠領域の幅（ラベル領域の外周線と枠外形切断線間の距離）は、任意に定めることができる。好ましくは、２ｍｍ〜２０ｍｍ、より好ましくは３ｍｍ〜１５ｍｍ、さらに好ましくは３ｍｍ〜１２ｍｍである。この範囲であれば、ラミネート領域がラベル領域の全部と枠領域の一部を覆う場合にも、ラミネート領域の位置決めがより容易になる。また、枠領域に相当するラベル紙、剥離紙の量が少なくなり、ラベル用紙の廃棄部分が少なくなる。
【００２２】
ラミネート用紙は、単一のラミネート用紙に単一のラミネート領域を含むものであってもよく、単一のラミネート用紙が複数のラミネート領域の区画に切断されているものであってもよい。単一のラミネート用紙に単一のラミネート領域を含む場合には、ラミネート領域はラベル用紙と一致するものでもよく、単一のラミネート用紙が区間、切断されて単一のラミネート領域を含むものでもよい。複数のラミネート領域に切断されている場合のラミネート領域の外周線は、抜き加工線であってもよく、当該外周線の一部がラミネート用紙の輪郭線と一致するものであってもよい。
【００２３】
抜き加工とは、ラベル紙（又はフィルム）だけを切断し、切断線で囲まれた領域を剥がすことが可能となる加工をいう。抜き加工によって、ラベル紙（又はフィルム）が切断されているが、ラベル紙（又はフィルム）は、粘着剤層を経由して剥離紙により支持されており、ラベル用紙の形状を保持している。
【００２４】
ラベル用紙の抜き加工の切断線にはアンカー部分を１または複数設けてもよく、設けなくてもよい。アンカー部分とは切断線上で、極く短い線が切断されずにつながっている部分であり、ラベル用紙の形状保持を補助する役割がある。アンカー部分の間隔の一例は０．２ｍｍである。ラベル用紙にプリンターで印刷するには、抜き加工線にアンカー部分を設けることが好ましい。
【００２５】
粘着フィルムは、単一のラミネート領域を有する単一のシートを使用することができる。また、単一の粘着フィルムに、複数のラミネート領域を含むものであってもよい。複数のラミネート領域を含む形態は、平面状、積層状、またはロール状などがあり、いずれであってもよい。平面状形態の場合には、フィルムの第２粘着剤層には第２剥離紙が貼着されて供給される。積層状、ロール状形態の場合には、通常フィルムの一方表面と、第２粘着剤層が貼着された状態で供給される。
【００２６】
粘着フィルムは、単一のラミネート領域毎に区画・切断されていることが好ましいが、連続体で供給され、使用時に鋏などで切断するものであってもよい。
ラベル領域の平面形状は、方形、円形、楕円形、多角形など任意の形状にすることが出来る。これらの中では、方形、四隅を曲線にした方形、円形、楕円形のラベルが好ましく、方形、四隅を曲線にした方形が、さらに好ましい。ラベルとしてこれらの形状が多用されている、ラミネートの位置決めが容易となる等の理由による。
【００２７】
本発明に用いるラベル紙は、コート紙、上質紙、クラフト紙、微塗工紙、サーマル紙、その他の紙類が使用できる。また、インク受容加工をした合成樹脂フィルムを使用することもできる。
インクジェットプリンターにより印刷する場合には、インクジェットプリンター専用の用紙を使用することが好ましい。通常のインクジェットプリンターは水溶性のインクを使用するので、印刷面を保護するために印刷面のラミネート処理をすることが望ましく、本発明の好ましい利用分野である。
【００２８】
ラベル紙は、白色、着色紙及び透明シート等が使用できる。また、これらに予め、縦、横、格子状の罫線が印刷されていてもよい。さらに、アンダーライン、会社名、図書館名、トレードマークなどの予備的な印刷がなされていてもよい。
【００２９】
ラベル用紙を構成する第１粘着剤、粘着フィルムを構成する第２粘着剤は感圧性の粘着剤（pressure-sensitive adhesive）である。このような粘着剤として公知の粘着剤（例えば、アクリル系、ゴム系、ウレタン系など）の粘着剤を使用することができる。好ましくはアクリル系の粘着剤である。
【００３０】
剥離紙は、通常、紙の表面に剥離処理を施したものである。剥離処理として、シリコン樹脂被覆、フッ素樹脂被覆又はアミンベースの剥離剤の被覆が使用できる。また、表面のエンボス加工又はブラフト加工若しくは被覆剤に微粒子を添加する加工方法などが使用出来る。
【００３１】
フィルムは透視可能な保護フィルムである。よって、透明、半透明、色つきフィルム、模様付きフィルムなどが使用できる。その材質は通常、オレフィン系、エステル系の樹脂である。また、生分解性の樹脂を使用することもできる。オレフィン系の樹脂としてはポリエチレン、ポリプロピレン（ＰＰ）、ポリスチレン、ポリ塩化ビニルなどが挙げられる。エステル系の樹脂としては、ポリエチレンテレフタレート（ＰＥＴ）、ポリブチレンテレフタレートなどが挙げられる。ＰＰ、ＰＥＴが好ましい。
【００３２】
ラミネート用紙を構成する剥離紙は、ラミネート領域を引き剥がす際の指掛りとなる切断線が設けられていてもよい。
【実施例１】
【００３３】
以下に実施例により、本発明にかかるラミネートラベル用紙、ラベル用紙とラベルのラミネート方法をさらに説明する。この発明の実施例に記載されている部材や部分の寸法、材質、形状、その相対位置などは、とくに特定的な記載のない限りは、この発明の範囲をそれらのみに限定する趣旨のものではなく、単なる説明例にすぎない。
【００３４】
図１はラベル用紙２の説明図であり、（ａ）は平面説明図、（ｂ）は断面説明図である。（ｂ）を参照して、ラベル用紙２は、第１剥離紙２１の剥離剤層２８が塗布された表面に第１粘着剤層２２が形成され、その上にラベル紙２３が貼着されて構成されている。第１剥離紙２１は上質紙であり、これにフッ素樹脂を塗布して剥離剤層２８を形成している。第１粘着剤層２２はエマルジョン型アクリル系粘着剤を塗布して形成している。ラベル紙２３は、インクジェットプリンター用紙である。
【００３５】
（ａ）を参照して、ラベル用紙２は６個のラベル領域３を有している。ラベル領域３の外周線は第１切断線２４である。枠領域２５の外周線は枠外形切断線２６である。第１切断線２４と枠外形切断線２６は、積層構造のラベル用紙２のラベル紙２３だけが、抜き加工された線である。この抜き加工により、枠領域２５のみをラベル用紙２から剥がすことが出来、また、ラベル領域３のみをラベル用紙２から剥がすことが出来る。枠外形切断線２６は、ラベル領域３の全外周線を取り囲んでいる。
【００３６】
図２はラミネート用紙４の説明図であり、（ａ）は平面説明図、（ｂ）は断面説明図である。（ｂ）を参照して、ラミネート用紙４は、第２剥離紙４１の剥離剤層４８が塗布された表面に第２粘着剤層４２が形成され、その上にフィルム４３が貼着されて構成されている。ラミネート用紙４から第２剥離紙４１を取り除くと粘着フィルムとなる。第２剥離紙４１は上質紙であり、これにフッ素樹脂を塗布して剥離剤層４８を形成している。第２粘着剤層４２は溶剤型アクリル系粘着剤を塗布して形成している。フィルム４３は、ポリプロピレン（ＰＰ）フィルムである。
【００３７】
（ａ）を参照して、フィルム４３は第２切断線４４により切断されている。第２切断線４４は抜き加工線である。ラミネート用紙４は、第２切断線４４とラミネート用紙の輪郭線４７に囲まれた６個のラミネート領域５を有している。
【００３８】
続いて、ラベル用紙２と、粘着ラベルを含むラミネート用紙４からなるラミネートラベル用紙の使用法を、図３を参照して説明する。図３中にはラベル用紙２の一部分を拡大して示している。
まず、ラベル用紙２のラベル領域３の表面に、インクジェットプリンターで情報を印字する（文字や画像を手書きで記入してもよい）。次に、枠外形切断線２６と第１切断線２４に囲まれた枠領域２５にあるラベル紙を取り除く。（ａ）に示すように、残余の枠領域２５は、第１剥離紙のみが残るので段差に取り囲まれている。また、通常、剥離紙とラベル紙の表面は色と風合いが相違するので、残余の枠領域２５は他の領域と目視により容易に区分される。
【００３９】
次に、ラミネート用紙４から単一のラミネート領域を剥がし、露出する第２粘着剤層面をラベル領域３に貼り付ける。貼り付けた状態を（ｂ）に示す。（ｂ）ではラミネート領域５に右下がりの平行線群を付している。このとき、上述した、目視により容易に区分される枠領域が位置決めの目安となる。
【００４０】
続いて、ラベル領域とラミネート領域が貼り付けられた状態を保持しつつ、これらを第１剥離紙２１から引き剥がし、ラミネートされたラベルを得る。ラベル領域は、第１剥離紙２１に貼着されているものであり、また、ラミネート作業により新たに枠領域に貼着されたラミネート領域の一部分も第１剥離紙２１上にあるので、この引き剥がし作業は容易に行うことが出来る。
最後に、ラミネートされたラベルをラベル貼着場所に貼り付ける。
【００４１】
本実施例では、枠領域２５の輪郭線とラミネート領域５の輪郭線は過不足なく重なり合う。すなわち、ラミネート領域の平面形状は、ラベル領域の全面と枠領域の全面からなる平面と一致している。
【００４２】
続いて、他の実施例におけるラミネート作業を説明する。
図３を用いて説明した実施例と同様に、まずラベル用紙２のラベル領域３の表面に、情報を印字する。次に、枠外形切断線２６と第１切断線２４に囲まれた枠領域２５にあるラベル紙を取り除く。次に、ラミネート用紙４から単一のラミネート領域を剥がし、露出する第２粘着剤層面をラベル領域３に貼り付ける。貼り付けた状態を図４に示す。図３と同一部材、同一部分には同一の符号を付している。図中、ラミネート領域５ａに右下がりの平行線群を付している。
【００４３】
本実施例では、ラミネート領域５ａの大きさは、ラベル領域３の外周（すなわち第１切断線２４）よりも一回り大きく、かつ、枠領域２５の外周（すなわち第２切断線２６）よりも一回り小さい。すなわち、ラミネート領域の平面形状は、ラベル領域の全面と枠領域の一部からなる平面と一致している。この大きさのラミネート領域を用いて、ラミネート作業を行う場合にも、上述の目視により容易に区分される枠領域が位置決めの目安となる。
【００４４】
ラベル領域とラミネート領域の相互の重ね合わせ位置関係は任意に定めることができる。
例えば、ラミネート領域の一の辺を、ラベル領域の一の辺に一致させてラミネートしてもよく、また、ラミネート領域の一の隅を、ラベル領域の一の隅に一致させてラミネートしてもよい。このようにすれば、ラミネートされたラベルの貼り付け位置により適合したラベルを得ることができる。ラミネートによる記入情報保護の観点からは、ラベル領域の全外周を越えてラミネート領域が重ね合わせられることが好ましい。
【００４５】
図５は、ラベル用紙の他の実施例を示す説明図である。
（ａ）に示すラベル用紙２ａは、６のラベル領域（３ａ、３ｂ、３ｃ等）を持つ。第１切断線２４と枠外形切断線２６はその一部分が共通（例えば２４ａと２６ａ）している。また、ラベル用紙の輪郭線２７と枠外形切断線２６はその一部分が共通（例えば２７ｂと２６ｂ）している。
【００４６】
本例の場合には、ラミネート作業を単一のラベル領域毎に順に進行することが意図されている。すなわち、枠領域２５ａを取り除くと、ラベル領域３ａを取り囲む第１剥離紙が露出するので、ラミネート領域を貼着してラミネート作業を行う。次にラベル領域３ａとこれに貼着されたラミネート領域を引き剥がす。
【００４７】
次に、枠領域２５ｂを取り除き、ラベル領域３ｂについての作業を行う。あるいは枠領域２５ｃを取り除き、ラベル領域３ｃについての作業を行う。
その後、順次同様な作業を行う。
【００４８】
本例の場合には、ラベル紙を取り除いた残余の枠領域２５は、剥離紙が露出し、剥離紙とラベル紙の表面は色と風合いが相違するので、残余の枠領域２５は他の領域と目視により容易に区分される。このため、ラミネート領域の位置決めが容易に行われる。
【００４９】
ただし、図３を参照して説明した前記実施例で実現する、残余の枠領域外周囲に生じる段差がない。この点で、前記実施例で用いたラベル用紙のように、第１切断線と枠外形切断線とラベル用紙の輪郭線は、各々共通せず、独立であることが好ましい。
【００５０】
（ｂ）に示すラベル用紙２ｂは、２のラベル領域（３ｄ、３ｅ）を持つ。第１切断線２４と枠外形切断線２６はその一部分が共通（例えば２４ｄと２６ｄ）している。また、ラベル用紙の輪郭線２７と枠外形切断線２６はその一部分が共通（例えば２７ｄと２６ｄ）している。
【００５１】
（ｃ）に示すラベル用紙２ｃは、単一のラベル領域３ｆを有する。ラベル用紙の輪郭線２７ｆと枠外形線２６ｆはその全部が共通している。
【産業上の利用可能性】
【００５２】
本発明にかかるラミネートラベル用紙は、粘着ラベルとして事務用品、文具などに用いることが出来る。
【図面の簡単な説明】
【００５３】
【図１】ラベル用紙の説明図である。
【図２】ラミネート用紙の説明図である。
【図３】ラミネートラベル用紙の使用法を示す説明図である。
【図４】ラミネートラベル用紙の使用法を示す説明図である（変形実施例）。
【図５】ラベル用紙の説明図である（変形実施例）。
【符号の説明】
【００５４】
２    ラベル用紙
３    ラベル領域
４    粘着フィルムを含むラミネート用紙
５    ラミネート領域
２１  第１剥離紙
２２  第１粘着剤層
２３  ラベル紙
【００５５】
２４  第１切断線
２５  枠領域
２６  枠外形切断線
２７  ラベル用紙の輪郭線
４２  第２粘着剤層
４３  フィルム
４４  第２切断線
【図１】
2006078945.tif 000003
【図２】
2006078945.tif 000004
【図３】
2006078945.tif 000005
【図４】
2006078945.tif 000006
【図５】
2006078945.tif 000007